(57)【特許請求の範囲】
【請求項１】
検索結果データを表示する方法であって、
携帯機器が送信する検索要求であって、検索キーワードを含む、検索要求を受信することと、
前記検索キーワードに基づいて検索を処理し、検索結果データを取得することであって、前記検索結果データが前記検索キーワードを含む、処理および取得することと、
前記検索結果データ内の前記検索キーワードを短縮されたインジケータへ変換することであって、前記変換することは、
前記検索結果データ内の前記検索キーワードを特性ブロックとしてマーキングすることと、
前記特性ブロックを前記短縮されたインジケータへ変換することと、
を含む、ことと、
前記短縮されたインジケータを含む前記検索結果データを返却することであって、前記短縮されたインジケータを含む前記検索結果データは、前記携帯機器のインターフェース上に短縮された様式で表示するために使用される、返却することと、を含む、方法。
【請求項２】
前記検索キーワードが、単一の検索語を含み、前記検索結果データ内の前記検索キーワードを前記短縮されたインジケータへ変換することが、
前記検索結果データ内の前記検索語を指定記号または指定色を有する特殊記号へ変換することを含む、請求項１に記載の方法。
【請求項３】
前記検索キーワードが、複数の検索語を含み、前記検索結果データ内の前記検索キーワードを前記短縮されたインジケータへ変換することが、
前記検索結果データ内の前記複数の検索語を、異なる色を有する指定記号に別々に変換することであって、各検索語が変換される色が、前記携帯機器の前記インターフェースの検索ボックス内の対応する検索語の色と同じである、変換することを含む、請求項１に記載の方法。
【請求項４】
前記検索キーワードが、複数の検索語を含み、前記検索結果データ内の前記検索キーワードを前記短縮されたインジケータへ変換することが、
前記検索結果データ内の前記複数の検索語を、異なる記号に別々に変換することであって、各検索語が変換される記号が、前記携帯機器の前記インターフェースの検索ボックス内の対応する検索語のための記号ラベルと同じである、変換することを含む、請求項１に記載の方法。
【請求項５】
前記検索キーワードを複数の検索語へ分割することをさらに含む、請求項１に記載の方法。
【請求項６】
前記検索結果データ内の前記検索キーワードを前記短縮されたインジケータへ変換することが、
前記検索結果データ内の前記複数の検索語を、異なる記号または異なる色を有する記号に別々に変換することを含む、請求項５に記載の方法。
【請求項７】
検索結果データを表示する方法であって、
検索キーワードを含む検索要求をサーバへ送信することと、
前記検索要求に対して前記サーバが返却する検索結果データであって、前記検索キーワードを含む、検索結果データを受信することと、
前記検索結果データ内の前記検索キーワードを短縮されたインジケータへ変換することであって、前記変換することは、
前記検索結果データ内の前記検索キーワードを特性ブロックとしてマーキングすることと、
前記特性ブロックを前記短縮されたインジケータへ変換することと、
を含む、ことと、
前記短縮されたインジケータを含む前記検索結果データを、インターフェースに短縮された様式で表示することと、を含む、方法。
【請求項８】
前記検索キーワードが単一の検索語を含み、前記検索結果データ内の前記検索キーワードを前記短縮されたインジケータへ変換することが、
前記検索結果データ内の前記検索語を、指定記号または指定色を有する特殊記号へ変換することを含む、請求項７に記載の方法。
【請求項９】
前記検索キーワードが、複数の検索語を含み、前記検索結果データ内の前記検索キーワードを前記短縮されたインジケータへ変換することが、
前記検索結果データ内の各検索語を、異なる色を有する指定記号に別々に変換することであって、各検索語が変換される前記色が、携帯機器の前記インターフェースの検索ボックス内の対応する検索語の色と同じである、変換することと、を含む、請求項７に記載の方法。
【請求項１０】
前記検索キーワードが、複数の検索語を含み、前記検索結果データ内の前記検索キーワードを前記短縮されたインジケータへ変換することが、
前記検索結果データ内の前記検索語を、異なる記号に別々に変換することであって、検索語が変換される記号が、携帯機器の前記インターフェースの検索ボックス内の対応する検索語の記号ラベルと同じである、変換することと、を含む、請求項７に記載の方法。
【請求項１１】
前記検索キーワードを複数の検索語へ分割することをさらに含む、請求項７に記載の方法。
【請求項１２】
前記検索結果データ内の前記検索キーワードを、前記短縮されたインジケータへ変換することが、
前記検索結果データ内の前記複数の検索語を、異なる記号または異なる色を有する記号に別々に変換することを含む、請求項１１に記載の方法。
【請求項１３】
１つ以上のコンピュータ可読媒体であって、１つ以上のプロセッサによって処理される際に、前記１つ以上のプロセッサが、
携帯機器から検索キーワードを含む検索要求を受信することと、
前記検索要求に従う前記検索キーワードに基づいて検索を処理し、検索結果データを取得することであって、前記検索結果データが前記検索キーワードを含む、処理および取得することと、
前記検索結果データ内の前記検索キーワードを特性ブロックとしてマーキングすることと、
前記特性ブロックを含む前記検索結果データを前記携帯機器へ返却することであって、前記特性ブロックを含む前記検索結果データが、前記特性ブロックを短縮されたインジケータに変換し、前記短縮されたインジケータを含む前記検索結果データを前記携帯機器のインターフェース上に短縮された様式で表示するために、前記携帯機器によって使用される、返却することと、を含む行為を行わせる処理可能な命令を記憶する、１つ以上のコンピュータ可読媒体。
【請求項１４】
前記特性ブロックが、前記検索結果データ内の前記検索キーワードの位置を示す、請求項１３に記載の１つ以上のコンピュータ可読媒体。
【請求項１５】
前記特性ブロックが前記検索キーワードの文字数を示す、請求項１３に記載の１つ以上のコンピュータ可読媒体。
【請求項１６】
前記検索キーワードが複数の検索語を含み、前記行為が異なる特性ブロックを使用して前記複数の検索語をマーキングすることをさらに含む、請求項１３に記載の１つ以上のコンピュータ可読媒体。
【請求項１７】
前記行為が、前記異なる特性ブロックのための異なる変換規則を呼び出すことをさらに含む、請求項１６に記載の１つ以上のコンピュータ可読媒体。
【請求項１８】
前記行為が、前記検索キーワードを複数の検索語へ分割することをさらに含む、請求項１３に記載の１つ以上のコンピュータ可読媒体。
【発明の詳細な説明】
【技術分野】
【０００１】
本出願は、２０１２年７月２３日出願の「Ｍｅｔｈｏｄ  ｏｆ  Ｄｉｓｐｌａｙｉｎｇ  Ｓｅａｒｃｈ  Ｒｅｓｕｌｔ  Ｄａｔａ，  Ｓｅａｒｃｈ  Ｓｅｒｖｅｒ  ａｎｄ  Ｍｏｂｉｌｅ  Ｄｅｖｉｃｅ」と題する中国特許出願第２０１２１０２５７１１７．９号に対する外国優先権を主張し、中国特許出願第２０１２１０２５７１１７．９号に対する優先権を主張する２０１２年１１月９日出願の「Ｍｅｔｈｏｄ  ｏｆ  Ｄｉｓｐｌａｙｉｎｇ  Ｓｅａｒｃｈ  Ｒｅｓｕｌｔ  Ｄａｔａ，  Ｓｅａｒｃｈ  Ｓｅｒｖｅｒ  ａｎｄ  Ｍｏｂｉｌｅ  Ｄｅｖｉｃｅ」と題する中国特許出願第２０１２１０４４９２８１．Ｘ号に対する外国優先権をさらに主張する。各中国特許出願は、ここに参照によってその全体が組み込まれる。
【０００２】
本開示は、携帯機器検索の技術分野に関し、特に、検索結果データを表示する方法、検索サーバ、および携帯機器に関する。
【背景技術】
【０００３】
近年、携帯機器技術の発達と共に、携帯機器は、日常のオンラインアクセスのための主要な手段の１つとなっている。ユーザによるネットワークのサイバースペース内での所望の情報の検索は、インターネットサーフィンをするユーザの主要な活動の１つである。
【０００４】
携帯機器がサイバースペース内で所望の情報を検索する際、携帯機器の寸法および表示部の制限により、各回で閲覧されるコンテンツは、非常に限られている。さらに、検索結果ページは、一般的に検索キーワードを含むコンテンツを表示する。各コンテンツ項目は検索キーワードを含み、いくつかの検索結果は検索キーワードのハイライトもするため、多くのコンテンツ項目が表示部に繰り返し出現する。例えば、検索キーワード「中華人民共和国」に対して、携帯機器のインターフェースは一度に３つの検索結果を表示し、これはそれぞれ、「中華人民共和国についての百度百科（Ｂａｉｄｕ  Ｅｎｃｙｃｌｏｐｅｄｉａ）…」と、「中華人民共和国についてのウィキペディア（Ｗｉｋｉｐｅｄｉａ）…」と、「中華人民共和国中央政府のウエブサイト…」と、であり、これらの簡単な説明を含む。検索キーワード「中華人民共和国」が繰り返し出現する。携帯機器のインターフェース内に表示される情報が非常に限られている状況下で、検索結果内での検索キーワードの表示は、大量のインターフェーススペースを無駄にするだけでなく、ユーザのオンライントラフィック量をも消費する。
【０００５】
したがって、当業者が早急に解決する必要がある問題は、携帯機器のインターフェーススペースの利用率を向上させ、ユーザのオンライントラフィック量を節約するための、検索結果データを表示する方法および装置を提供することである。
【発明の概要】
【０００６】
以下の発明を実施するための形態においてさらに記載される概念の選択を簡易形態で紹介するために、本発明の概要を提供する。本発明の概要は、主張される主題の全ての重要な特徴または本質的な特徴を特定することを意図せず、主張される主題の範囲を決定する補助として単独で使用されることも意図しない。例えば、「技術」という用語は、上記の文脈および本開示全体によって容認されるように、装置（複数可）、システム（複数可）、方法（複数可）および／またはコンピュータ可読命令に言及し得る。
【０００７】
本開示の目的は、携帯機器のインターフェーススペースの利用率を向上させ、ユーザのオンライントラフィック量を節約するように、検索結果データを表示する方法を提供することである。
【０００８】
それに対応して、本開示は、方法を実際に適用することを確保するための、検索サーバおよび携帯機器もまた提供する。
【０００９】
上記の問題を解決するために、本開示は、
サーバでの、携帯機器が送信する検索要求であって、検索キーワードを含む、検索要求を受信することと、
サーバによって、検索キーワードに基づいて検索を処理し、検索結果データを取得することであって、検索結果データが検索キーワードを含む、処理および取得することと、
サーバによって、検索結果データ内の検索キーワードを短縮されたインジケータへ変換することと、
サーバによって、短縮されたインジケータを含む検索結果データであって、携帯機器のインターフェース上に短縮された様式で表示するために使用される、短縮されたインジケータを含む、検索結果データを返却することと、を含む、検索結果データを表示する方法を開示する。
【００１０】
一実施形態において、サーバによって、検索結果データ内の検索キーワードを短縮されたインジケータへ変換することは、
サーバが、検索結果データ内の検索キーワードを特性ブロックとしてマーキングすることと、
サーバが、特性ブロックを短縮されたインジケータへと変換することと、を含む。
【００１１】
いくつかの実施形態において、検索キーワードは、単一の検索語を含む。サーバが、検索結果データ内の検索キーワードを短縮されたインジケータに変換することは、
サーバが、検索結果データ内の検索語を指定記号または指定色を有する特殊記号に変換することを含む。
【００１２】
一実施形態において、検索キーワードは、複数の検索語を含む。サーバが、検索結果データ内の検索キーワードを短縮されたインジケータに変換することは、
サーバが、検索結果データ内の各検索語を、異なる色を有する指定記号に別々に変換することであって、各検索語が変換される色が、携帯機器のインターフェースの検索ボックス内の対応する検索語の色と同じである、変換することを含む。
【００１３】
いくつかの実施形態において、検索キーワードは、複数の検索語を含む。サーバが、検索結果データ内の検索キーワードを短縮されたインジケータに変換することは、
サーバが、検索結果データ内の各検索語を、異なる記号に別々に変換することであって、各検索語が変換される記号が、携帯機器のインターフェースの検索ボックス内の対応する検索語に関連する記号ラベルと同じである、変換することを含む。
【００１４】
本開示の実施形態は、さらに、
携帯機器が、検索キーワードを含む検索要求をサーバに送信することと、
携帯機器が、検索要求に対してサーバが返却する検索結果データであって、検索キーワードを含む、検索結果データを受信することと、
携帯機器が、検索結果データ内の検索キーワードを短縮されたインジケータに変換することと、
携帯機器が、短縮されたインジケータを含む検索結果データをインターフェース中に短縮された様式で表示することと、を含む、検索結果データを表示する方法を開示する。
【００１５】
一実施形態において、携帯機器が、検索結果データ内の検索キーワードを短縮されたインジケータに変換することは、
携帯機器が、検索結果データ内の検索キーワードを特性ブロックとしてマーキングすることと、
携帯機器が、特性ブロックを短縮されたインジケータに変換することと、を含む。
【００１６】
一例において、検索キーワードは、単一の検索語を含む。携帯機器が、検索結果データ内の検索キーワードを短縮されたインジケータに変換することは、
携帯機器が、検索結果データ内の検索語を指定記号または指定色を有する特殊記号に変換することを含む。
【００１７】
いくつかの例において、検索キーワードは、複数の検索語を含む。携帯機器が、検索結果データ内の検索キーワードを短縮されたインジケータに変換することは、
携帯機器が、検索結果データ内の各検索語を、異なる色を有する指定記号に別々に変換することであって、各検索語が変換される色が、携帯機器のインターフェースの検索ボックス内の対応する検索語の色と同じである、変換することを含む。
【００１８】
いくつかの例において、検索キーワードは、複数の検索語を含む。携帯機器が、検索結果データ内の検索キーワードを短縮されたインジケータに変換することは、
携帯機器が、検索結果データ内の検索語を、異なる記号に別々に変換することであって、検索語が変換される記号が、携帯機器のインターフェースの検索ボックス内の対応する検索語の記号ラベルと同じである、変換することを含む。
【００１９】
本開示の実施形態は、さらに、
携帯機器が、検索キーワードを含む検索要求をサーバに送信することと、
サーバが、検索キーワードに基づく検索を処理することおよび検索結果データが検索キーワードを含む検索結果データを取得することと、
サーバが、検索結果データ内の検索キーワードを特性ブロックとしてマーキングすることと、
サーバが、特性ブロックを含む検索結果データを携帯機器に返却することと、特性ブロックを短縮されたインジケータに変換し、短縮されたインジケータを含む検索結果データをそのインターフェース上に短縮された様式で表示するために、携帯機器が特性ブロックを含む検索結果データを使用することと、を含む検索結果データを表示する方法を開示する。
【００２０】
本開示の実施形態は、さらに、
携帯機器が送信する検索要求の受信に使用される要求受信モジュールであって、検索要求が検索キーワードを含む、要求受信モジュールと、
検索キーワードに基づく検索の処理および検索結果データの取得に使用される検索モジュールであって、検索結果データが検索キーワードを含む、検索モジュールと、
検索結果データ内の検索キーワードの短縮されたインジケータへの変換に使用される短縮されたインジケータ変換モジュールと、
短縮されたインジケータを含む検索結果データの返却に使用される送信モジュールであって、携帯機器のインターフェース中に短縮された様式で表示するために、短縮されたインジケータを含む検索結果データを使用する、送信モジュールと、を含む、検索サーバを開示する。
【００２１】
本開示の実施形態は、
検索キーワードを含む検索要求のサーバへの送信に使用される要求提出モジュールと、
検索要求に対してサーバが返却する検索結果データの受信に使用される検索結果受信モジュールであって、検索結果データが検索キーワードを含む、検索結果受信モジュールと、
検索結果データ内の検索キーワードの短縮されたインジケータへの変換に使用される短縮処理モジュールと、
短縮されたインジケータを含む検索結果データのインターフェース中への短縮された様式での表示に使用される表示モジュールと、を含む、携帯機器も開示する。
【００２２】
本開示の実施形態は、
携帯機器が送信する検索要求の受信に使用される要求受信モジュールであって、検索要求が検索キーワードを含む、要求受信モジュールと、
検索要求に従う検索キーワードに基づく検索の処理および検索結果データの取得に使用される検索モジュールであって、検索結果データが検索キーワードを含む、検索モジュールと、
検索結果データ内の検索キーワードの特性ブロックとしてのマーキングに使用される、特性ブロックマーキングモジュールと、
特性ブロックを含む検索結果データの携帯機器への返却に使用される検索結果返却モジュールであって、特性ブロックを短縮されたインジケータに変換し、短縮されたインジケータを含む検索結果データをそのインターフェース上に表示するために、携帯機器が特性ブロックを含む検索結果データを使用する、検索結果返却モジュールと、を含む、検索サーバも開示する。
【００２３】
従来技術と比較して、本開示は下記の利点を有する。
【００２４】
開示される方法は、検索結果データ内の検索キーワードを短縮されたインジケータに変換し、短縮されたインジケータを含む検索結果データを携帯機器のインターフェース上に表示する。検索結果内に短縮されたインジケータを表示することは、検索キーワードを表示するのと比較して、機器のより多くのインターフェーススペースを節約するため、開示される方法は、携帯機器のインターフェーススペースの利用率を向上させ、ユーザのオンライントラフィック量を節約する。
【００２５】
さらに、本開示の例示的な実施形態において、サーバは、検索キーワードの短縮されたインジケータへの変換操作を完了し得る。そのような状況下で、サーバおよび携帯機器は、より少ない通信資源を占有し、ユーザのためにオンライントラフィック量をさらに節約し得る。
【００２６】
さらに、本開示の別の例示的な実施形態において、複数の検索キーワードの表示中、ユーザを混乱から回避するために、異なる色を有する短縮されたインジケータおよび異なる記号を使用して異なる検索キーワードを示してもよく、したがって携帯機器のインターフェーススペースの使用を最大化する。
【図面の簡単な説明】
【００２７】
【図１】本開示に係る検索結果データを表示する第１の例示的方法を図示する流れ図である。
【図２】本開示に係る検索結果データを表示する第２の例示的方法を図示する流れ図である。
【図３】本開示に係る検索結果データを表示する第３の例示的方法を図示する流れ図である。
【図４】本開示に係る第１の例示的な検索サーバを図示する構造図である。
【図５】本開示に係る第２の例示的な検索サーバを図示する構造図である。
【図６】本開示に係る例示的な携帯機器を図示する構造図である。
【図７】図４および５に記載される例示的な検索サーバを図示する構造図である。
【図８】図６に記載される例示的な携帯機器を図示する構造図である。
【発明を実施するための形態】
【００２８】
本開示の上記の目的、特徴、および利点の理解を容易にするために、本開示を、添付の図面および例示的な実施形態に関連してさらに詳細に記載する。
【００２９】
本開示の１つの本旨は、ユーザが提出する検索結果データ内の検索キーワードを短縮されたインジケータに変換することである。携帯機器のインターフェース上に表示する際、短縮されたインジケータを含む検索結果データを表示し、したがって、携帯機器のインターフェーススペースの利用率を向上させ、ユーザのオンライントラフィック量を節約する。
【００３０】
図１は、検索結果データを表示する第１の例示的な方法の流れ図を示し、これは以下を含み得る。
【００３１】
ブロック１０１で、サーバは、携帯機器が送信する検索要求を受信し、検索は検索キーワードを含む。
【００３２】
特定の実装において、ユーザは、携帯機器から検索キーワードを含む検索要求を提出し得る。提出される検索キーワードは、携帯機器が任意の手法を使用してサーバに提出する重要な検索キーワードを含み得る。例えば、ユーザは、指定ページ位置（検索ボックスなど）内に検索キーワードを入力してもよく、または検索を始動させる、すなわち、ユーザがウエブページ上などのキーワードの提出を始動させ、ウエブページ上に検索エンジンのリンクを有する特定のキーワードをクリックしてもよい。本開示は、その点についていかなる限定も有さない。
【００３３】
ブロック１０２で、サーバは、検索キーワードに基づく検索を処理および検索結果データを取得し、検索結果データは検索キーワードを含む。
【００３４】
検索キーワードに基づく検索処理の過程は、実際にはほとんどの検索エンジンの機能性に基づく。したがって、本開示の本実施形態は、ほとんどの検索機能性に適用され得る。
【００３５】
実際面では、検索キーワードは、ユーザが検索ボックスに入力する「タオバオ」などの単一の検索語であり得る。あるいは、検索キーワードは、ユーザが検索ボックスに入力する「タオバオ、新しいスタイル、夏のファッション」などの複数の検索語であり得る。本開示の実施形態において、複数の検索語は、単一の検索キーワードの分割後に発生する複数の検索語をも含み得るということに留意すべきである。例えば、ユーザが提出する検索キーワードは、「甘粛での牛乳中毒」であり得る。検索エンジンの単語分割機能は、この検索キーワードを検索のために自動的に３つの検索語、「甘粛」、「牛乳」および「中毒」に分離し得る。本開示の実施形態は、単語分割のそのような状況を複数の検索語と見なす。
【００３６】
ブロック１０３で、サーバは、検索結果データ内の検索キーワードを短縮されたインジケータに変換する。
【００３７】
本開示の例示的な実施形態において、ブロック１０３は、次のサブブロックを含んでもよい。
【００３８】
サブブロックＳ１１で、サーバは、重要な検索結果データ内の検索キーワードを特性ブロックとしてマーキングする。
【００３９】
サブブロックＳ１２で、サーバは、特性ブロックを短縮されたインジケータに変換する。
【００４０】
特性ブロックは、検索結果データ内の検索キーワードの位置および検索キーワードの文字数を示し得ることが理解され得る。この実施形態を適用することで、サーバは、マーキングされる位置を短縮されたインジケータに変換する前に、まず検索結果データ内の検索キーワードの位置および文字数をマーキングし得る。
【００４１】
特定の実装において、元の検索キーワードのコンテンツと比較して、より少ない表示インターフェーススペースを占有するという条件で、短縮されたインジケータは、簡易文字（複数可）または記号（複数可）であり得る。
【００４２】
本開示の実施形態の特定の適用の一例として、検索キーワードが単一の検索語である際、短縮されたインジケータは、指定記号または指定色を有する特殊記号であり得る。例えば、単一の検索語「携帯電話」のための短縮されたインジケータが、赤色の省略記号「…」であり、その詳細が以下の表に示される。
【００４３】
【表１】
0006257621.tif 000002
【００４４】
本開示の実施形態の特定の適用の別の例として、検索キーワードが複数の検索語を含む際、ブロック１０３は以下のサブブロックを含み得る。
【００４５】
サブブロックＳ２１で、サーバは、検索結果データ内の検索語を、異なる色を有する指定記号に別々に変換する。重要な検索語が変換される各色は、携帯機器のインターフェースの検索ボックス内の対応する検索語の色と同じである。
【００４６】
本実施形態において、携帯機器のインターフェースは、検索キーワードを含む検索ボックスを表示し得る。複数の検索語は、異なる色を使用して検索ボックス内に別々に表示され得る。そのような状況において、短縮されたインジケータは、検索ボックス内の検索語に対して表示される色に関連する特殊記号であり得る。一般的に、そのような方法は、たとえ検索結果が多くの用語を含んでいても、色の違いに基づいて短縮される用語を有するコンテンツをユーザが理解できることを容易にし、したがって大量の用語の短縮が引き起こす読解障壁を回避しながら、携帯機器のインターフェースが表示し得るコンテンツの量を増加させる。
【００４７】
例えば、複数の検索語「Ａｐｐｌｅ」および「携帯電話」（ユーザがスペースキーを使用して分離する２つの検索語、またはユーザが入力する検索キーワード「Ａｐｐｌｅ携帯電話」に対して検索エンジンが分割を処理する後に発生される２つの検索語であり得る）に対して、検索ボックス内で用語「Ａｐｐｌｅ」を青色で表示し、用語「携帯電話」を赤色で表示する。検索結果データにおいて、「Ａｐｐｌｅ」の短縮されたインジケータとして青色の省略記号「・・・」を使用し、「携帯電話」の短縮されたインジケータとして赤色の省略記号「・・・」を使用する。この詳細は、以下の表に表される。
【００４８】
【表２】
0006257621.tif 000003
【００４９】
本開示の実施形態の特定の適用のさらに別の例として、検索キーワードが複数の検索語を含む際、ブロック１０３は、以下のサブブロックを含み得る。
【００５０】
サブブロックＳ３１で、サーバは、検索結果データ内の検索語を異なる記号に別々に変換し、各検索語が変換される記号は携帯機器のインターフェースの検索ボックス内の対応する検索語のための記号ラベルと同じである。
【００５１】
本実施形態において、携帯機器のインターフェースは、検索キーワードを含む検索ボックスを表示し得る。検索ボックス内の複数の検索語を、異なる記号ラベルにそれぞれ関連付ける。そのような状況下で、短縮されたインジケータは、検索ボックス内で検索語に対して表示される記号ラベルの対応する記号であり得る。
【００５２】
例えば、検索語「Ａｐｐｌｅ」および「携帯電話」に対して、検索ボックス内の用語「Ａｐｐｌｅ」を、それ以降、記号ラベル「●」に関連付け、用語「携帯電話」を、それ以降、記号ラベル「★」に関連付ける。検索結果データにおいて、「Ａｐｐｌｅ」のための短縮されたインジケータとして「●」を使用し、「携帯電話」のための短縮されたインジケータとして「★」を使用する。その詳細が以下の表に示される。
【００５３】
【表３】
0006257621.tif 000004
【００５４】
さらに、複数の検索語のための上記の短縮されたインジケータの変換技術は、組み合わせ可能である。例えば、検索語「Ａｐｐｌｅ」および「携帯電話」に対して、検索ボックス内において、用語「Ａｐｐｌｅ」を青色で表示し、記号ラベル「●」と関連付け、用語「携帯電話」を赤色で表示し、記号ラベル「★」と関連付ける。検索結果データにおいて、青色の「●」は「Ａｐｐｌｅ」のための短縮されたインジケータであり、赤色の「★」は「携帯電話」のための短縮されたインジケータである。その詳細が以下の表に示される。
【００５５】
【表４】
0006257621.tif 000005
【００５６】
検索語の色は、好適には検索語ではない検索結果データ内の他のテキストの色とは異なるということに留意すべきである。
【００５７】
上記の短縮されたインジケータの変換方法は、説明例としてのみ使用される。当業者は、実際の状況に基づいて任意の短縮されたインジケータの変換方法を使用し得る。本開示は、それに制限を課さない。
【００５８】
ブロック１０４で、サーバは、短縮されたインジケータを含む検索結果データを返却する。短縮されたインジケータを含む検索結果データを、携帯機器のインターフェース上への短縮表示を処理するために使用する。
【００５９】
本開示の実施形態において、短縮されたインジケータに変換される検索キーワードを有し、サーバが返却する検索結果データを携帯機器が受信後、短縮されたインジケータを含む検索結果データを、そのインターフェース上に短縮された様式で表示する。
【００６０】
本実施形態は、サーバの強力な処理機能性を十分に活用し、携帯機器上に追加のアプリケーションプログラムまたはクライアントプログラムをインストールする必要なく、サーバに検索キーワードの短縮されたインジケータへの変換の処理を完了させ得る。サーバは、短縮されたインジケータを含む検索結果データのみを送信する必要がある。従来技術における完全な検索結果データの送信と比較して、これは、データ送信の量および通信資源の使用を減少させることができ、ユーザのためにオンライントラフィック量を節約し、携帯機器のインターフェース上に表示され得るコンテンツを増加させる。
【００６１】
図２は、検索結果データを表示する第２の例示的な方法を図示する流れ図を示し、この詳細は以下のブロックを含み得る。
【００６２】
ブロック２０１で、携帯機器は、検索キーワードを含む検索要求をサーバに送信する。
【００６３】
実際面では、サーバは、携帯機器が提出する検索キーワードに基づいて検索を処理し、検索結果データを取得する。
【００６４】
ブロック２０２で、携帯機器は、検索要求に対してサーバが返却する検索結果データを受信し、検索結果データは検索キーワードを含む。
【００６５】
特定の実装において、重要な検索キーワードは、単一の検索語または複数の検索語を含み得る。複数の検索語は、提出される複数の検索語、または単一の検索語の分割後に発生される複数の検索語を含み得る。
【００６６】
ブロック２０３で、携帯機器は、検索結果データ内の検索キーワードを短縮されたインジケータに変換する。
【００６７】
本開示の例示的な実施形態において、ブロック２０３は、次のサブブロックを含み得る。
【００６８】
サブブロックＳ４１で、携帯機器は、検索結果データ内の検索キーワードを特性ブロックとしてマーキングする。
【００６９】
サブブロックＳ４２で、携帯機器は、特性ブロックを短縮されたインジケータに変換する。
【００７０】
特性ブロックは、検索結果データ内の検索キーワードの位置および検索キーワードの文字数を表し得ることが理解され得る。本実施形態を適用することで、携帯機器は、まず検索結果データ内の検索キーワードの位置および長さをマーキングし、その後マーキングした位置を短縮されたインジケータに変換し得る。
【００７１】
本開示の例示的な実施形態において、検索語が単一の検索語を含む際、ブロック２０３は以下のサブブロックを含み得る。
【００７２】
サブブロックＳ５１で、携帯機器は、検索結果データ内の検索キーワードを指定記号または指定色を有する特殊記号に変換する。
【００７３】
本開示の別の例示的な実施形態において、検索キーワードが複数の検索語を含む際、ブロック２０３は以下のサブブロックを含み得る。
【００７４】
サブブロックＳ６１において、携帯機器は、検索結果データ内の検索語を異なる色を有する指定記号に別々に変換し、各検索語が変換される色は、携帯機器のインターフェースの検索ボックス内の対応する検索語の色と同じである。
【００７５】
本実施形態において、携帯機器のインターフェースは、検索語を含む検索ボックスを表示し得る。検索ボックス内の検索語を、異なる色で別々に表示する。この状況下で、短縮されたインジケータは、検索ボックス内の検索語が表示する色の特殊記号を使用し得る。
【００７６】
本開示のさらに別の例示的な実施形態において、検索キーワードが複数の検索語を含む際、ブロック２０３は以下のサブブロックを含み得る。
【００７７】
サブブロックＳ７１で、携帯機器は、検索結果データ内の検索語を異なる記号に別々に変換し、各検索語が変換される記号は、携帯機器のインターフェースの検索ボックス内の対応する検索語の記号ラベルと同じである。
【００７８】
本実施形態において、携帯機器のインターフェースは、検索語を含む検索ボックスを表示し得る。検索ボックス内の検索語を、異なる記号ラベルに別々に関連付ける。この状況下で、短縮されたインジケータは、検索ボックス内に表示される検索語の記号ラベルが使用する対応する記号であり得る。
【００７９】
ブロック２０４で、携帯機器は、短縮されたインジケータを含む検索結果データをインターフェース上に短縮された様式で表示する。
【００８０】
当業者が本開示をよりよく理解可能にするために、以下の例を使用して本実施形態をさらに詳細に記載する。
【００８１】
１．ユーザは、携帯電話の検索ページの検索ボックス内に「Ａｐｐｌｅ携帯電話ＩＰＨＯＮＥ」と入力し、「検索」をクリックして、サーバに提出される検索要求を始動し、発生する。
【００８２】
２．サーバは、検索を処理するために、検索キーワード「Ａｐｐｌｅ携帯電話ＩＰＨＯＮＥ」を自動的に３つの検索語、「Ａｐｐｌｅ」、「携帯電話」および「ＩＰＨＯＮＥ」に分離し、検索結果データを取得し、そして検索結果データを携帯電話に送信する。
【００８３】
３．検索結果データを受信すると、携帯電話は、検索結果データ内の「Ａｐｐｌｅ」を第１の特性ブロックとしてマーキングし、検索結果データ内の「携帯電話」を第２の特性ブロックとしてマーキングし、そして検索結果データ内の「ＩＰＨＯＮＥ」を第３の特性ブロックとしてマーキングする。
【００８４】
４．携帯電話は、第１の特性ブロックに対応する第１のプリセット短縮されたインジケータ変換規則と、第２の特性ブロックに対応する第２のプリセット短縮されたインジケータ変換規則と、第３の特性ブロックに対応する第３のプリセット短縮されたインジケータ変換規則と、をそれぞれ呼び出す。呼び出しは、携帯電話のローカルクライアントプログラムから取得、または要求を送信するサーバから取得し得る。例えば、第１のプリセット短縮されたインジケータ変換規則は、第１の特性ブロックを赤色の記号「〜」に変換する。第２のプリセット短縮されたインジケータ変換規則は、第２の特性ブロックを黄色の記号「〜」に変換する。第３のプリセット短縮されたインジケータ変換規則は、第３の特性ブロックを青色の記号「〜」に変換する。検索語と発生される短縮されたインジケータとの間の対応する関係性が下記の表に示される。
【００８５】
【表５】
0006257621.tif 000006
【００８６】
５．検索結果データを表示する過程中、携帯電話は、第１のプリセット短縮されたインジケータ変換規則と、第２のプリセット短縮されたインジケータ変換規則と、第３のプリセット短縮されたインジケータ変換規則と、に従って、第１の特性ブロックを赤色の記号「〜」に、第２の特性ブロックを黄色の記号「〜」に、第３の特性ブロックを青色の記号「〜」に、別々に変換する。言い換えると、特定のサーバが発見する検索結果データが、「Ａｐｐｌｅ携帯電話−ｉＰｈｏｎｅ  ４Ｓ携帯電話が誕生！卓越したものが今やさらに一層卓越！」である場合、携帯機器のインターフェースは、「〜（赤色）〜（黄色）〜（青色）４Ｓ〜（黄色）が誕生！卓越したものが今やさらに一層卓越！」と表示する。
【００８７】
本実施形態と第１の例示的方法との違いは、本実施形態は、サーバに変更を加えることなく、クライアントプログラムまたはアプリケーションプログラムで携帯機器を構成することによって実装することができ、したがってサーバの改善費を節約することである。
【００８８】
図３は、第３の検索結果データ表示方法を図示する流れ図を示し、その詳細は以下のブロックを含み得る。
【００８９】
ブロック３０１で、携帯機器は、検索キーワードを含む検索要求をサーバに送信する。検索要求は検索キーワードを持つ。
【００９０】
ブロック３０２で、サーバは、検索要求および検索キーワードに基づく検索を処理および検索結果データを取得し、検索結果データは検索キーワードを含む。
【００９１】
ブロック３０３で、サーバは、検索結果データ内の検索キーワードを特性ブロックとしてマーキングする。
【００９２】
ブロック３０４で、サーバは、特性ブロックを含む検索結果データを携帯機器に返却する。携帯機器は、特性ブロックを短縮されたインジケータに変換し、短縮されたインジケータを含む検索結果データをそのインターフェース上に短縮された様式で表示するために、特性ブロックを含む検索結果データを使用する。
【００９３】
特に、ブロック３０４で、携帯機器は、サーバが返却する特性ブロックを含む検索結果データを受信し、特性ブロックを短縮されたインジケータに変換し、短縮されたインジケータを含む検索結果データをそのインターフェース上に短縮された様式で表示する。
【００９４】
当業者が本開示をよりよく理解することを可能にするために、完全な例を使用して本実施形態をさらに詳細に記載する。
【００９５】
１．特定のショッピングウエブサイトの検索ボックス内に検索キーワード「携帯電話」を入力し、「検索」キーをクリック後、ユーザは、そのショッピングウエブサイトのサーバを始動させて、検索キーワード「携帯電話」に基づく検索操作を処理し、検索結果データを取得する。
【００９６】
２．サーバは、検索キーワード「携帯電話」が特性ブロック（複数可）として出現する位置（複数可）をマーキングし、特性ブロック（複数可）の情報を含む検索結果データを携帯機器に送信する。
【００９７】
３．携帯機器は、特性ブロック（複数可）に対応するプリセット短縮されたインジケータ変換規則（複数可）を呼び出す。例えば、１つのプリセット短縮されたインジケータ変換規則が１つの特性ブロックを赤色の記号「〜」に変換する。特に、発生される検索キーワードと短縮されたインジケータとの間の対応関係性が、以下の表に示される。
【００９８】
【表６】
0006257621.tif 000007
【００９９】
４．検索結果データを表示する過程中、携帯機器は、プリセット短縮されたインジケータ変換規則に従って、全ての特性ブロックを赤色の記号「〜」にマーキングする。特に、特定のサーバ検索が発見する検索結果データが「携帯電話ｉＰｈｏｎｅ４Ｓは、８メガピクセルの高解像度およびｆ／２．４のより大きな開口部を有するカスタマイズされたレンズを有する、驚くべきモバイルカメラを有する。」である場合、携帯機器のインターフェースは、「〜（赤色）ｉＰｈｏｎｅ４Ｓは、８メガピクセルの高解像度およびｆ／２．４のより大きな開口部を有するカスタマイズされたレンズを有する、驚くべきモバイルカメラを有する。」と表示する。
【０１００】
本実施形態と第１のおよび第２の例示的方法との違いは、本実施形態は、短縮されたインジケータの変換過程中、サーバと携帯機器との間の対話処理を伴うことである。特に、短縮されたインジケータ変換過程中、サーバは、検索結果データ内の検索キーワードを特性ブロックとしてマーキングする。携帯機器は、特性ブロックを特定の短縮されたインジケータとして特定および処理する。サーバは、特性ブロックの情報を含む検索結果データのみを送信する必要があるため、従来技術における完全な検索結果データの送信と比較して、データ送信量を減少させ得、したがって通信資源の利用を減少させ、ユーザのためにオンライントラフィック量を節約する。さらに、本実施形態において、サーバは短縮されたインジケータの変換操作の一部を処理しているため、携帯機器の資源の消費は効率的に減少し得る。
【０１０１】
本開示の各実施形態の要点は、他の実施形態と異なり得、実施形態の同一または類似の部分を互いに参照し得る。また、説明を簡素化するために、一連の動作の組み合わせとして例示的方法を記載する。しかしながら、当業者は、本開示に従って、いくつかのブロックは別の順序または並行して処理し得るため、本開示は、記載される動作の順序に限定されないということを理解するべきである。さらに、当業者は、本開示に記載される実施形態は例示的な実施形態であり、それに関連する動作およびモジュールは本開示に必須ではなくてもよいということも理解するべきである。
【０１０２】
図４は、本開示に従う第１の例示的検索サーバを図示する構造図を示し、以下のモジュール、
携帯機器が送信する検索要求の受信に使用される要求受信モジュール４０１であって、検索要求が検索キーワードを含む、要求受信モジュール４０１と、
検索キーワードに基づく検索の処理および検索結果データの取得に使用される検索モジュール４０２であって、検索結果データが検索キーワードを含む、検索モジュール４０２と、
検索結果データ内の検索キーワードの短縮されたインジケータへの変換に使用される短縮されたインジケータ変換モジュール４０３と、および、
短縮されたインジケータを含む検索結果データの返却に使用される送信モジュール４０４であって、携帯機器のインターフェース中に短縮された様式で表示するために、短縮されたインジケータを含む検索結果データを使用する、送信モジュール４０４と、を含み得る。
【０１０３】
本開示の例示的実施方法において、短縮されたインジケータ変換モジュール４０３は、以下のサブモジュール、
検索結果データ内の検索キーワードの特性ブロックとしてのマーキングに使用される、特性ブロックマーキングサブモジュールと、
特性ブロックの短縮されたインジケータへの変換に使用される、変換サブモジュールと、を含み得る。
【０１０４】
本開示の実施形態の特定の適用の一例として、検索キーワードは単一の検索語である。この状況下で、短縮されたインジケータ変換モジュール４０３は、以下のサブモジュール、
検索結果データ内の検索語の、指定記号または指定色を有する特殊記号への変換に使用される、第１の特定変換サブモジュール、を含み得る。
【０１０５】
本開示の実施形態の特定の適用の別の例として、検索キーワードは複数の検索語を含む。この状況下で、短縮されたインジケータ変換モジュール４０３は、以下のサブモジュール、
検索結果データ内の検索語の、異なる色を有する指定記号への別々の変換に使用される、第２の特定変換サブモジュールであって、検索語が変換される色が、携帯機器のインターフェースの検索ボックス内の対応する検索語の色と同じである、第２の特定変換サブモジュールを含み得る。
【０１０６】
本開示の実施形態の特定の適用の別の例として、検索キーワードは複数の検索語を含む。この状況下で、短縮されたインジケータ変換モジュール４０３は、以下のサブモジュール、
検索結果データ内の検索語の異なる記号への別々の変換に使用される第３の特定変換サブモジュールであって、検索語が変換される記号が、携帯機器のインターフェースの検索ボックス内の対応する検索語の記号ラベルと同じである、第３の特定変換サブモジュール、を含み得る。
【０１０７】
図５は、本開示に従う第２の例示的な検索サーバを図示する構造図を示し、以下のモジュール、
携帯機器が送信する検索要求の受信に使用される要求受信モジュール５０１であって、検索要求が検索キーワードを含む、要求受信モジュール５０１と、
検索要求に従う検索キーワードに基づく検索の処理および検索結果データの取得に使用される検索モジュール５０２であって、検索結果データが検索キーワードを含む、検索モジュール５０２と、
検索結果データ内の検索キーワードの特性ブロックとしてのマーキングに使用される特性ブロックマーキングモジュール５０３と、そして、
特性ブロックを含む検索結果データの携帯機器への返却に使用される検索結果返却モジュール５０４であって、特性ブロックを短縮されたインジケータに変換し、短縮されたインジケータを含む検索結果データをそのインターフェース上に表示するために、携帯機器が特性ブロックを含む検索結果データを使用する、検索結果返却モジュール５０４と、を特に含み得る。
【０１０８】
図６は、本開示に従う例示的な携帯機器を図示する構造図を示し、以下のモジュール、
検索キーワードを含む検索要求のサーバへの送信に使用される要求提出モジュール６０１と、
検索要求に対してサーバが返却する検索結果データの受信に使用される検索結果受信モジュール６０２であって、検索結果データが検索キーワードを含む、検索結果受信モジュール６０２と、
検索結果データ内の検索キーワードの短縮されたインジケータへの変換に使用される短縮処理モジュール６０３と、および、
短縮されたインジケータを含む検索結果データのインターフェース中への短縮された様式での表示に使用される表示モジュール６０４と、を特に含み得る。
【０１０９】
本開示の例示的実施形態において、短縮処理モジュール６０３は、以下のサブモジュール、
検索結果データ内の検索キーワードの特性ブロックとしてのマーキングに使用される、特性ブロックマーキングサブモジュールと、
特性ブロックの短縮されたインジケータへの変換に使用される、変換サブモジュールと、を含み得る。
【０１１０】
本開示における実施形態の特定の適用の一例として、検索キーワードは単一の検索語である。そのような状況下で、短縮処理モジュール６０３は、以下のサブモジュール、
検索結果データ内の検索語の、指定記号または指定色を有する特殊記号への変換に使用される、第１の特定変換サブモジュール、を含み得る。
【０１１１】
本開示の実施形態の特定の適用の別の例として、検索キーワードは複数の検索語を含む。この状況下で、短縮処理モジュール６０３は、以下のサブモジュール、
検索結果データ内の検索語の、異なる色を有する指定記号への別々の変換に使用される、第２の特定変換サブモジュールであって、検索語が変換される色が、携帯機器のインターフェースの検索ボックス内の対応する検索語の色と同じである、第２の特定変換サブモジュールを含み得る。
【０１１２】
本開示の実施形態の特定の適用の別の例として、検索キーワードは複数の検索語を含む。この状況下で、短縮処理モジュール６０３は、以下のサブモジュール、
検索結果データ内の検索語の異なる記号への別々の変換に使用される第３の特定変換サブモジュールであって、検索語が変換される記号が、携帯機器のインターフェースの検索ボックス内の対応する検索語の記号ラベルと同じである、第３の特定変換サブモジュール、を含み得る。
【０１１３】
例示的装置の説明は、それらの例示的装置がそれらに相当する例示的方法の実施形態に類似するため、比較的簡素である。関連する詳細は、例示的方法の実施形態に見られ得る。
【０１１４】
当業者は、本開示の実施形態が方法、システム、またはコンピュータソフトウエアの製品として実装され得るということを理解するべきである。したがって、本開示は、ハードウエア、ソフトウエア、またはハードウエアおよびソフトウエアの組み合わせの形態で実装され得る。さらに、本開示は、コンピュータ可読プログラム命令を含む、１つ以上のコンピュータ可読記憶媒体（ディスク記憶装置、ＣＤ−ＲＯＭ、光学記憶装置、などを含むがこれに限定されない）上に処理可能な、コンピュータソフトウエアの製品の形態で実装され得る。
【０１１５】
本開示を、例示的方法、装置（システム）およびコンピュータプログラム製品の流れ図および／またはブロック図に従って記載する。各過程および／またはブロック、および流れ図および／またはブロック図の過程および／またはブロックの組み合わせは、コンピュータプログラム命令の形態で実装され得るということが理解されるべきである。流れ図の１つ以上の過程および／またはブロック図の１つ以上のブロックに記載される、１つ以上のブロックに示される機能を有する装置を、コンピュータまたはプログラム可能なデータ処理装置を有する他の処理装置が命令を処理することによって実装し得るように、そのようなコンピュータプログラム命令は、汎用コンピュータ、専用コンピュータ、組み込みプロセッサ、またはコンピュータを作成するプログラム可能なデータ処理装置を有する別の処理装置に提供され得る。
【０１１６】
命令装置を含む製造を、コンピュータ可読メモリ装置内に記憶される命令に基づいて構築し得るように、そのようなコンピュータプログラム命令もまた、コンピュータまたは別のプログラム可能なデータ処理装置を特定の方法で機能させ得るコンピュータ可読メモリ装置内に記憶され得る。その命令装置は、流れ図の１つ以上の過程および／またはブロック図の１つ以上のブロックが示す機能を実装する。
【０１１７】
コンピュータ実装処理を発生するために、一連の操作をコンピュータまたは他のデータ処理装置によって処理し得るように、コンピュータプログラム命令もまた、コンピュータまたは別のプログラム可能なデータ処理装置内に読み込まれうる。したがって、コンピュータまたは他のプログラム可能な装置が処理する命令は、流れ図の１つ以上の過程および／またはブロック図の１つ以上のブロックを実装するために使用され得る。
【０１１８】
本開示の例示的な実施形態を提供するものの、当業者は、その基本的な発明概念の理解の上に、それらの例示的実施形態を変更および修正し得る。したがって、本明細書に添付の特許請求の範囲は、例示的な実施形態および本開示の範囲内に入る全ての変更および修正を網羅することを意図する。
【０１１９】
図７は、上記に記載されるサーバのような、例示的なサーバ７００をより詳細に図示する。一実施形態において、サーバ７００は、１つ以上のプロセッサ７０１、ネットワークインターフェース７０２、メモリ７０３、および入力／出力インターフェース７０４を含み得るが、これに限定されない。
【０１２０】
メモリ７０３は、ランダムアクセスメモリ（ＲＡＭ）などの揮発性メモリおよび／または読み取り専用メモリ（ＲＯＭ）などの非揮発性メモリまたはフラッシュＲＡＭの形態のコンピュータ可読媒体を含み得る。メモリ７０３は、コンピュータ可読媒体の一例である。
【０１２１】
コンピュータ可読媒体は、コンピュータ可読命令、データ構造、プログラムモジュール、または他のデータなどの情報の記憶のための方法または技術に実装される、揮発性および非揮発性、取り外し可能および取り外し不可能な媒体を含む。コンピュータ記憶媒体の例は、相変化メモリ（ＰＲＡＭ）、スタティックランダムアクセスメモリ（ＳＲＡＭ）、ダイナミックランダムアクセスメモリ（ＤＲＡＭ）、他の種類のランダムアクセスメモリ（ＲＡＭ）、読み取り専用メモリ（ＲＯＭ）、電気的消去可能読み取り専用メモリ（ＥＥＰＲＯＭ）、フラッシュメモリまたは他のメモリ技術、コンパクトディスク読み取り専用メモリ（ＣＤ−ＲＯＭ）、デジタル多用途ディスク（ＤＶＤ）または他の光学記憶、磁気カセット、磁気テープ、磁気ディスク記憶または他の磁気記憶装置、またはコンピューティング装置によるアクセスのために情報を記憶するために使用され得る、他のあらゆる非伝送媒体を含むが、これに限定されない。本明細書で定義されるように、コンピュータ可読媒体は、変調データ信号および搬送波などの一時的媒体を含まない。
【０１２２】
メモリ７０３は、プログラムモジュール７０５およびプログラムデータ７０６を含み得る。一実施形態において、プログラムモジュール７０５は、要求受信モジュール７０７、検索モジュール７０８、短縮されたインジケータ変換モジュール７０９、送信モジュール７１０、特性ブロックマーキングモジュール７１１、検索結果返却モジュール７１２、特性ブロックマーキングサブモジュール７１３、変換サブモジュール７１４、第１の特定変換サブモジュール７１５、第２の特定変換サブモジュール７１６および第３の特定変換サブモジュール７１７、を含み得る。一実施形態において、特性ブロックマーキングサブモジュール７１３、変換サブモジュール７１４、第１の特定変換サブモジュール７１５、第２の特定変換サブモジュール７１６および第３の特定変換サブモジュール７１７は、短縮されたインジケータ変換モジュール７０９内に含まれ得る。これらのプログラムモジュールおよび／またはサブモジュールに関する詳細は、上記に記載される前述の実施形態に見られ得る。
【０１２３】
図８は、上記に記載される携帯機器のような、例示的な携帯機器８００をより詳細に図示する。一実施形態において、携帯機器８００は、１つ以上のプロセッサ８０１、ネットワークインターフェース８０２、メモリ８０３、および入力／出力インターフェース８０４を含み得るが、これに限定されない。
【０１２４】
メモリ８０３は、ランダムアクセスメモリ（ＲＡＭ）などの揮発性メモリおよび／または読み取り専用メモリ（ＲＯＭ）などの非揮発性メモリまたはフラッシュＲＡＭの形態のコンピュータ可読媒体を含み得る。メモリ８０３は、コンピュータ可読媒体の一例である。
【０１２５】
メモリ８０３は、プログラムモジュール８０５およびプログラムデータ８０６を含み得る。一実施形態において、プログラムモジュール８０５は、要求提出モジュール８０７、検索結果受信モジュール８０８、短縮処理モジュール８０９、表示モジュール８１０、特性ブロックマーキングサブモジュール８１１、変換サブモジュール８１２、第１の特定変換サブモジュール８１３、第２の特定変換サブモジュール８１４、第３の特定変換サブモジュール８１５、を含み得る。一実施形態において、特性ブロックマーキングサブモジュール８１１、変換サブモジュール８１２、第１の特定変換サブモジュール８１３、第２の特定変換サブモジュール８１４、第３の特定変換サブモジュール８１５は、短縮処理モジュール８０９内に含まれ得る。これらのプログラムモジュールおよび／またはサブモジュールに関する詳細は、上記に記載される前述の実施形態に見られ得る。
【０１２６】
最後に、本文章における「第１の」および「第２の」などの関係語は、１つの実体から別の実体を、または１つの操作から別の操作を区別することのみを意図するが、これらの実体または操作同士間の実在の関係性または順序を必ずしも要求または含意しない、ということが指摘されるべきである。さらに、「含む」、「有する」または他のあらゆる変異形などの用語は、非排他的に「含むこと」を網羅する、ということを意図する。したがって、特徴の一群をそれぞれ含む、過程、方法、項目または装置は、これらの特徴を含み得るだけでなく、記載されていない他の特徴、またはそれらの過程、方法、項目または装置に内在する特徴をも含み得る。さらなる限定なしに、「（１つの）…を含む」という表現のうちに定義される特徴は、その特徴を記載する過程、方法、項目または装置が他の同等の特徴を有し得る可能性を排除しない。
【０１２７】
検索結果データを表示する方法およびサーバが、本開示において上記に詳細に記載されている。例示的な実施形態は、本開示において本発明の概念および実施を図示するために用いられる。例示的な実施形態は、本開示の方法および中核となる概念のよりよい理解のためのみに使用される。本開示における概念に基づき、当業者は、例示的な実施形態および応用分野を変更し得る。総じて、本開示における内容は、本開示に対する限定として理解されるべきではない。
【図１】
0006257621.tif 000008
【図２】
0006257621.tif 000009
【図３】
0006257621.tif 000010
【図４】
0006257621.tif 000011
【図５】
0006257621.tif 000012
【図６】
0006257621.tif 000013
【図７】
0006257621.tif 000014
【図８】
0006257621.tif 000015